(57)【要約】  【課題】  視感度が低く、発光効率も低い青色ＣＲＴ表示装置を有する投写型表示装置において、赤色、緑色、青色全体として輝度の低下を抑えながら、コントラストの改善を図る。  【解決手段】  赤色、緑色、青色それぞれ単色の映像信号を出力する３個の単色ＣＲＴ表示装置１０Ｒ、１０Ｇ、１０Ｂから出力された３色の映像をそれぞれ反射鏡１２を介してスクリーンユニット１４に投写して３色の映像を合成してカラー映像を生成する投写型表示装置であって、青色ＣＲＴ表示装置１０Ｂの輝度は維持したまま、視感度が最も高い緑色の映像を出力する緑色ＣＲＴ表示装置の輝度を高め、さらに、高めた緑色の輝度を低減させるチント化用光吸収手段を設けて、赤色、緑色、青色全体の輝度のバランスをとる。チント化用光吸収手段によりコントラストが改善する。好ましくは、赤色ＣＲＴ表示装置１０Ｒについても緑色ＣＲＴ表示装置１０Ｇと同様に行う。【選択図】      図１
2005092182.tif 000002
【特許請求の範囲】
【請求項１】
それぞれ赤色、緑色、および青色の映像光を出力する３個の単色ＣＲＴ表示装置から出力された映像をそれぞれ投写してスクリーン上で合成する投写型表示装置において、
前記緑色の映像光を出力する緑色ＣＲＴ表示装置に設けられ、前記赤色および青色の輝度とバランスする程度まで前記緑色の映像光の輝度を低減させる第１光吸収手段を設け、
前記緑色の映像光を出力する緑色ＣＲＴ表示装置は、前記第１光吸収手段により輝度が低減される分だけ緑色の輝度を高めた映像を出力するように、駆動電流が増加されることを特徴とする
投写型表示装置。
【請求項２】
前記赤色の映像光を出力する赤色ＣＲＴ表示装置に設けられ、前記緑色および青色の輝度とバランスする程度まで前記赤色の映像光の輝度を低減させる第２光吸収手段を設け、
前記赤色の映像光を出力する赤色ＣＲＴ表示装置は、前記第２光吸収手段により輝度が低減される分だけ赤色の輝度を高めた映像を出力するように、駆動電流が増加されることを特徴とする、
請求項１記載の投写型表示装置。
【請求項３】
前記青色の映像光を出力する青色ＣＲＴ表示装置内に設けられ、前記緑色および赤色の輝度とバランスする程度まで前記青色の映像光の輝度を低減させる第３光吸収手段を設けたことを特徴とする、
請求項１に記載の投写型表示装置。
【請求項４】
前記緑色ＣＲＴ表示装置は、前面にフェースガラスが設けられたＣＲＴ表示管を有し、
前記第１光吸収手段は緑色を吸収する光吸収剤であり、該緑色を吸収する光吸収剤が前記フェースガラスに混入されてフェースガラスを構成することを特徴とする
請求項１に記載の投写型表示装置。
【請求項５】
前記緑色ＣＲＴ表示装置は、
前面にフェースガラスが設けられたＣＲＴ表示管と、
該ＣＲＴ表示管の前面に設けられ、冷却液が充填されているカプラと、
該カプラの前面に設けられたレンズユニットと
を有し、
前記第１光吸収手段は、緑色を吸収する光吸収液であり、前記カプラ内に充填されている冷却液混入されていることを特徴とする
請求項１に記載の投写型表示装置。
【請求項６】
前記緑色ＣＲＴ表示装置は、
前面にフェースガラスが設けられたＣＲＴ表示管と、
該ＣＲＴ表示管の前面に設けられ、冷却液が充填されているカプラと、
該カプラの前面に設けられたレンズユニットと
を有し、
前記第１光吸収手段は、緑色を吸収する光吸収手段であり、前記レンズユニット内に配設されている、または、前記レンズユニット内のレンズに混入されていることを特徴とする
請求項１に記載の投写型表示装置。
【請求項７】
前記赤色ＣＲＴ表示装置は、前面にフェースガラスが設けられたＣＲＴ表示管を有し、
前記第２光吸収手段は赤色を吸収する光吸収剤であり、該赤色を吸収する光吸収剤が前記フェースガラスに混入されてフェースガラスを構成することを特徴とする
請求項２に記載の投写型表示装置。
【請求項８】
前記赤色ＣＲＴ表示装置は、
前面にフェースガラスが設けられたＣＲＴ表示管と、
該ＣＲＴ表示管の前面に設けられ、冷却液が充填されているカプラと、
該カプラの前面に設けられたレンズユニットと
を有し、
前記第２光吸収手段は、赤色を吸収する光吸収液であり、前記カプラ内に充填されている冷却液混入されていることを特徴とする
請求項２に記載の投写型表示装置。
【請求項９】
前記赤色ＣＲＴ表示装置は、
前面にフェースガラスが設けられたＣＲＴ表示管と、
該ＣＲＴ表示管の前面に設けられ、冷却液が充填されているカプラと、
該カプラの前面に設けられたレンズユニットと
を有し、
前記第２光吸収手段は、赤色を吸収する光吸収手段であり、前記レンズユニット内に配設されている、または、前記レンズユニット内のレンズに混入されていることを特徴とする
請求項２に記載の投写型表示装置。
【請求項１０】
前記青色ＣＲＴ表示装置は、前面にフェースガラスが設けられたＣＲＴ表示管を有し、
前記第３光吸収手段は赤色を吸収する光吸収剤であり、該青色を吸収する光吸収剤が前記フェースガラスに混入されてフェースガラスを構成することを特徴とする
請求項３に記載の投写型表示装置。
【請求項１１】
前記青色ＣＲＴ表示装置は、
前面にフェースガラスが設けられたＣＲＴ表示管と、
該ＣＲＴ表示管の前面に設けられ、冷却液が充填されているカプラと、
該カプラの前面に設けられたレンズユニットと
を有し、
前記第３光吸収手段は、青色を吸収する光吸収液であり、前記カプラ内に充填されている冷却液混入されていることを特徴とする
請求項３に記載の投写型表示装置。
【請求項１２】
前記青色ＣＲＴ表示装置は、
前面にフェースガラスが設けられたＣＲＴ表示管と、
該ＣＲＴ表示管の前面に設けられ、冷却液が充填されているカプラと、
該カプラの前面に設けられたレンズユニットと
を有し、
前記第３光吸収手段は、青色を吸収する光吸収手段であり、前記レンズユニット内に配設されている、または、前記レンズユニット内のレンズに混入されていることを特徴とする
請求項３に記載の投写型表示装置。
【請求項１３】
当該投写型表示装置は、
赤色ＣＲＴ表示装置と、
緑色ＣＲＴ表示装置と、
青色ＣＲＴ表示装置と、
前記赤色ＣＲＴ表示装置、緑色ＣＲＴ表示装置、青色ＣＲＴ表示装置からの３種の映像を受けて反射する反射鏡と、
該反射鏡で反射された映像が投写されるスクリーンユニットとを
を有し、
前記赤色ＣＲＴ表示装置、緑色ＣＲＴ表示装置および青色ＣＲＴ表示装置の各々は、
前面にフェースガラスが設けられたＣＲＴ表示管と、
該ＣＲＴ表示管の前面に設けられ、冷却液が充填されているカプラと、
該カプラの前面に設けられたレンズユニットと
を有し、
前記スクリーンユニットは、
フレネルレンズと、
レンチキュラレンズと、
スクリーンと
を有する、
請求項１〜１３のいずれかに記載の投写型表示装置。
【発明の詳細な説明】
【技術分野】
【０００１】
本発明は投写型表示装置に関する。
特に本発明は、投写型表示装置全体としての輝度の低下を抑えつつ、コントラストを向上させる投写型表示装置に関する。
【背景技術】
【０００２】
投写型表示装置の構成の１例として、図１（Ａ）、（Ｂ）、図２（Ａ）、（Ｂ）、図３および図４を参照して、陰極線管（ＣＲＴ：Cathode Ray Tube ）リアプロジェクタ装置について述べる。
なお、ＣＲＴリアプロジェクタ装置の基本構成は、従来技術および本発明の実施の形態とも同じである。
図１（Ａ）、（Ｂ）、図２（Ａ）、（Ｂ）、図３および図４を参照したＣＲＴリアプロジェクタ装置の構成、動作などの詳細については、［発明を実施するための最良の形態］において詳述する。
【０００３】
図１（Ａ）に示すように、ＣＲＴリアプロジェクタ装置１は、ＣＲＴ映像投写ユニット１０と、反射鏡１２と、スクリーンユニット１４と、筐体１６とを有する。筐体１６にはＣＲＴ映像投写ユニット１０と、反射鏡１２と、スクリーンユニット１４とが収容されている。
図１（Ｂ）に示すように、ＣＲＴ映像投写ユニット１０は、それぞれ単色の映像を出力する、赤色ＣＲＴ表示装置１０Ｒ、緑色ＣＲＴ表示装置１０Ｇおよび青色ＣＲＴ表示装置１０Ｂを有する。
【０００４】
図２には代表して赤色ＣＲＴ表示装置１０Ｒの概略断面構成を示す。赤色ＣＲＴ表示装置１０Ｒは、ＣＲＴ表示管１０１と、カプラ１０３と、レンズユニット１０４と、ＣＲＴ表示管１０１のネック部の外周に配設され、電子ビームを偏向させる偏向ヨーク１０２とを有する。
ＣＲＴ表示管１０１の内部には電子銃（図示せず）、蛍光体１０１ａなどが配設され、前面にはフェースガラス１０５が設けられている。カプラ１０３はＣＲＴ表示管１０１とレンズユニット１０４とを結合する部分であり、ＣＲＴ表示管１０１が相当高温になるので冷却液１０３ａが収容されている。ＣＲＴ表示管１０１から出力された映像はカプラ１０３を透過し、レンズユニット１０４内の複数のレンズで拡大されて赤色ＣＲＴ表示装置１０Ｒの前方に位置する反射鏡１２に投写される。
【０００５】
赤色ＣＲＴ表示装置１０Ｒ、緑色ＣＲＴ表示装置１０Ｇおよび青色ＣＲＴ表示装置１０Ｂから出力される各単色の映像は反射鏡１２に向けられて反射鏡１２において反射されて、スクリーンユニット１４に投写され、このスクリーンユニット１４上でカラー映像として合成される。
【０００６】
図３に図解したように、スクリーンユニット１４は、反射鏡１２からスクリーンユニット１４に向かう映像の進行方向に向かって配設された、フレネルレンズ１４５と、レンチキュラレンズ１４３と、スクリーン１４１とを有する。
反射鏡１２で反射された赤色、緑色、青色の各単色の映像がフレネルレンズ１４５、レンチキュラレンズ１４３を経由してスクリーン１４１に投写（投影）され、赤色、緑色、青色の各単色の映像がカラー映像として合成される。視聴者２０はスクリーン１４１に投写されたカラー映像を見ることができる。
【０００７】
表示装置一般について述べると、映像の画質向上のために、「黒をいかに黒くするか」ということは、常に大きな技術的な命題である。
ＣＲＴリアプロジェクタ装置においても例外ではなく、「黒をいかに黒く表示できるか」が画質向上の重要な鍵である。
そのため、これまで各種の表示装置において「黒をいかに黒く表示できるか」という命題のために、種々の対策が講じられてきた。
【０００８】
図４は通常のカラーテレビジョンのカラーＣＲＴにおける主光、迷光および外光の関係を図解した図である。カラーＣＲＴに使用している蛍光体が原理的に白色であるため、電子ビームによる励起のない部分、すなわち、画像としては黒部分においても、外光に照らされることによって、白く浮き上がり、表示のコントラスト（＝白輝度／黒輝度）を低下させるか、または表示のコントラストを失うことが知られている。
【０００９】
表示のコントラストの低下を改善のため、通常のカラーテレビジョン受像機においては、カラーＣＲＴのフェースガラスなどをチント（ｔｉｎｔ）化させて、映像光を低下（減衰）させることが、一般的に行われている（たとえば、特開平６−１３９９６８号公報、特開２０００−３２４４２７号公報）。
すなわち、チント化により、図４を参照して下記に述べるように、外光の減衰および迷光の減衰が生じ、コントラストの改善が行われる。
【００１０】
（１）外光の減衰
図４に図解したように、カラーＣＲＴ内の蛍光体からの主光はチント化フェースガラスを１回通る。これに対して、外光はチント化フェースガラスへの入射時、チント化フェースガラスからの出射時の２回通過する。よって、主光より外光の減衰のほうが大きい。
（２）迷光の減衰
図４に図解したように、カラーＣＲＴ内の蛍光体の発光部の光が、チント化フェースガラスの界面での反射により、光るべきでない黒部分の蛍光面を照らし、黒色が浮く。この光を迷光と呼ぶ。このとき迷光が通過するチント化フェースガラスにおける減衰は３回分以上でかつ、角度が斜めで、距離が長いため、迷光の減衰は主光よりもはるかに大きくなる。
このように、通常のカラーＣＲＴにおいては、チント化フェースガラスを用いることにより、コントラストが向上し、画質向上に貢献している。
【００１１】
【特許文献１】特開平６−１３９９６８号公報
【特許文献２】特開２０００−３２４４２７号公報
【発明の開示】
【発明が解決しようとする課題】
【００１２】
上述した通常のカラーテレビジョン受像機におけるフェースガラスをチント化した効果は、ＣＲＴリアプロジェクタ装置においても効果があることはある程度予測できたが、下記の理由などによりＣＲＴリアプロジェクタ装置においては、チント化技術はこれまで採用されていない。
【００１３】
第１の理由は、ＣＲＴリアプロジェクタ装置においてはフェースガラスにチント化処理を施すと、主光の輝度が低下する。すなわち、図１（Ａ）に図解したように、ＣＲＴ映像投写ユニット１０のＣＲＴ表示管１０１において蛍光体から映像光を放射させ、反射鏡１２でＣＲＴ映像投写ユニット１０からの映像を反射させ、さらにスクリーンユニット１４に映像を投写させて映像を合成させる方式のＣＲＴリアプロジェクタ装置においては、反射と投写を行うからこの過程で光の強度が低下し、通常のカラーテレビジョン受像機に比較して光の強度（輝度）の低下が大きい。そのため、スクリーンユニット１４のスクリーン１４１に投写された映像について十分な輝度が得にくい。このような主光の輝度の低下はスクリーンユニット１４（スクリーン１４１）に表示される映像の画質を低下させることになる。上述した理由により、ＣＲＴリアプロジェクタ装置においてはフェースガラスにチント化処理を施すことが敬遠されてきた。
【００１４】
第２の理由は、図２に図解したＣＲＴ表示管１０１のフェースガラス１０５および蛍光体１０１ａを拡大して図解した図５に図示したように、ＣＲＴリアプロジェクタ装置におけるＣＲＴ表示菅１０１のフェースガラス１０５をチント化しても、フェースガラス１０５の部分には外光が届かないため上述した外光の減衰の効果はなく、もっぱら、「迷光の減衰」のみの効果である。
したがって、ＣＲＴリアプロジェクタ装置全体としては、必然的に、外光の減衰のため、図３に図解したスクリーン１４１の前面に位置するレンチキュラレンズ１４３またはフレネルレンズ１４５をチント化することが優先され、その分、第１の理由に加えて、主光の輝度が減衰し、一層、ＣＲＴ表示管（たとえば、赤色ＣＲＴ表示装置１０Ｒ、緑色ＣＲＴ表示装置１０ＧにおけるＣＲＴ表示菅１０１）のフェースガラス１０５をチント化する余裕は無いというのが現状であった。
図５は図２に図解したＣＲＴ表示管１０１の部分拡大図であり、蛍光体１０１ａと、フェースガラス１０５の部分を拡大して図解した図である。
【００１５】
第３の理由は、カラーテレビジョン受像機などに使用される一般的にカラーＣＲＴにおいては、青色の蛍光体の発光効率は、赤色の蛍光体の発光効率および緑色の蛍光体の発光効率に比べて低い。同様にＣＲＴリアプロジェクタ装置に用いる各単色のＣＲＴ表示管のうち、青色のＣＲＴ表示管の青色の蛍光体の発光効率も低い。
加えて、図６に図解したようにその蛍光体の飽和特性により青（Ｂ）の蛍光体の発光効率は駆動電流を大きくすると、発光効率の低下が特に大きい。図６はＣＲＴリアプロジェクタ装置における各単色のＣＲＴ表示管の蛍光体の駆動電流（横軸）と発光効率の低下（縦軸）を示すグラフであり、駆動電流が小さいときの発光効率を１．０とし、駆動電流が大きくなるにつれて発光効率が低下する様子を示している。
青色のＣＲＴ表示管に印加する駆動電流が大きくなるにつれて青色の発光効率の低下が著しいことが判る。
【００１６】
さらに、図７に図解したように、ＣＲＴリアプロジェクタ装置においては、各単色のＣＲＴ表示管のうち、青色のＣＲＴ表示菅のホワイト電流比が高い。図７は各単色（青色、緑色、赤色）のＣＲＴ表示管のビーム電流の総和と、各単色（青色、緑色、赤色）のＣＲＴ表示菅のホワイト電流比との関係を示すグラフである。
なお、白色を得るための赤色、緑色、青色各単色光を出力する各単色のＣＲＴ表示管のビーム電流の総和と、その時の赤色、緑色、青色各単色のＣＲＴ表示管のビーム電流との比率をホワイト電流比と呼ぶ。
図７に破線で示した実働時（または稼動時）での各単色のＣＲＴ表示菅のホワイト電流比は、たとえば、青色のＣＲＴ表示菅が５０％、緑色のＣＲＴ表示菅が３３％、赤色のＣＲＴ表示菅が１７％である。
このことから、各単色のＣＲＴ表示管のビーム電流は、たとえば、青色のＣＲＴ表示管のビーム電流が０．７５ｍＡ、緑色のＣＲＴ表示管のビーム電流が０．５ｍＡ、赤色のＣＲＴ表示管のビーム電流が０．２５ｍＡであることがわかり、青色のＣＲＴ表示菅（青色ＣＲＴ表示装置）が最大の駆動電流を必要としている。
【００１７】
ＣＲＴリアプロジェクタ装置においては、ＣＲＴ表示管は高熱になる。図２に図解したＣＲＴ表示管においてもカプラ１０３において冷却液１０３ａを用いて冷却しているように、各単色のＣＲＴ表示管の冷却が必要である。ＣＲＴ表示管の駆動電流を増やせば輝度は上がるが、さらに高温になる。
輝度の低い青色の輝度を上げるため青色ＣＲＴ表示装置１０ＢのＣＲＴ表示管１０１の駆動電流をさらに増加させることには限度がある。
青色ＣＲＴ表示装置の蛍光体の発光効率などの改善は求められて久しくが、いまだに解決していない。
【００１８】
他方、図７に図解のように、赤色ＣＲＴ表示装置１０Ｒおよび緑色ＣＲＴ表示装置１０Ｇの駆動電流には余裕があり、しかも、図６に図解したように、駆動電流を増加させても青のような発光効率の大きな低下は起きない。よって、赤色ＣＲＴ表示装置１０Ｒおよび緑色ＣＲＴ表示装置１０Ｇの駆動電流を高めて赤および緑の輝度をさらに高くすることができる。
しかしながら、ホワイトバランスの観点から、青色ＣＲＴ表示装置１０Ｂの発光効率（輝度）の限界性能に合わせて、赤色ＣＲＴ表示装置１０Ｒおよび緑色ＣＲＴ表示装置１０Ｇの能力を抑えて使っているのが実情である。
【００１９】
このように、ＣＲＴリアプロジェクタ装置においては、青色ＣＲＴ表示装置１０Ｂの青発光の輝度の低さおよび発光効率の低さなどが画質改善の上で、ボトルネックになっている。
すなわち、ＣＲＴリアプロジェクタ装置においては、カラーＣＲＴを使った通常のカラーテレビジョン受像機と違って、赤色、緑色、青色のバランスが悪く、画質改善のためカラーＣＲＴで講じた改善対策をそのまま適用できないという不具合に遭遇しており、ＣＲＴリアプロジェクタ装置固有の対策が求められている。
【００２０】
本発明の目的は、上述した課題を克服することを意図しており、投写型表示装置全体として輝度の低下を抑えながら、コントラストの向上を実現する投写型表示装置を提供することにある。
【課題を解決するための手段】
【００２１】
本発明の基本構想は、それぞれ単色のＣＲＴ表示管から放射される赤色光、緑色光、青色光全体の輝度のバランスをとることを前提に、赤色光、緑色光、青色光の映像を出力する単色ＣＲＴ表示装置のいずれかの輝度を高め、かつ、高めた輝度分を対応する光の輝度を低減させるチント化手法を用いて、赤色、緑色、青色全体の輝度のバランスをとることを特徴としている。
【００２２】
上記本発明の基本構想のもと、本発明の第１観点によれば、それぞれ赤色、緑色、および青色の映像光を出力する３個の単色のＣＲＴ表示装置から出力された映像をそれぞれ投写してスクリーン上で合成する投写型表示装置において、前記緑色の映像光を出力する緑色ＣＲＴ表示装置に設けられ、前記赤色および青色の輝度とバランスする程度まで前記緑色の映像光の輝度を低減させる第１光吸収手段を設けたことを特徴とする投写型表示装置が提供される。
好ましくは、本発明の第１の観点において、前記緑色の映像光を出力する緑色ＣＲＴ表示装置のビーム電流を、前記第１光吸収手段により輝度が低減される分だけ増加させて、緑色光の輝度を高めた映像を出力することを特徴とする。
【００２３】
本発明の基本構想および第１の観点について述べる。
比視感度は、中波長領域、すなわち、緑色の波長領域にピークを持ち、長波長および短波長へ移るに従って視感度が劣化することが知られている。緑色は約５４０ｎｍに相対感度のピークをもち、青色は約４５０ｎｍに相対感度のピークをもち、赤色は約６００ｎｍに相対感度のピークをもつから、中波長領域は、たとえば、緑色の波長領域に該当し、短波長領域は、たとえば、青色の波長領域に該当し、長波長領域は、たとえば、赤色の波長領域に該当する。視感度は、一般的に、赤：緑：青＝２：５：１の比率にあると言われている。
緑色の視感度が一番高い。このことは、コントラストを悪化させる迷光についても緑色が一番関係していると推察される。
なお、視感度とは、人の視覚系の光に対する効率のことを言い、一般には分光感度の形が表現され、明るさの感覚のための効率として比視感度が用いられている。本明細書においても、視感度または比視感度という。
【００２４】
上述した種々の観点から、本発明の第１の観点として、赤色、緑色、青色の中で視感度（比視感度）が最も高いのが緑色であり、しかも、図６に図解したように、緑色用ＣＲＴ表示管の駆動電流を増加させて輝度を高めた場合でも緑色は発光効率の低下が殆どなく、さらに、図７に図解したホワイト電流比の特性から、緑色のＣＲＴ表示管については駆動電流の増加に十分な余裕がある。
そこで、緑色ＣＲＴ表示装置のＣＲＴ表示管の駆動電流を増加させて、緑色の輝度を高める一方、高まった緑色の映像光の輝度を低減させる第１光吸収手段を設けて緑色の輝度を低下させて、合成の対象となる赤色および青色とのバランスをとることとした。
緑色ＣＲＴ表示装置にチント化などを施した第１光吸収手段を設けることにより、コントラストの改善が達成される。すなわち、コントラストを決定する黒輝度は、緑色ＣＲＴ表示装置に第１吸収手段が配設されるため、改善される。特に、緑色は、コントラストを悪化させる迷光の発生に影響か大きいと考えられており、本発明により緑色にチント化することにより、迷光も低減する。
他方、本発明の第１観点においては、赤色ＣＲＴ表示装置および青色ＣＲＴ表示装置には光吸収手段を配設せず、駆動電流を増加させない。
その結果、赤色、緑色、青色全体として、従来と同等の輝度を維持することができる。
【００２５】
本発明の第２観点によれば、第１の観点に加えてさらに、前記赤色の映像光を出力する赤色ＣＲＴ表示装置に設けられ、前記緑色および青色の輝度とバランスする程度まで前記赤色の映像光の輝度を低減させる第２光吸収手段を設けたことを特徴とする、投写型表示装置が提供される。
好ましくは、本発明の第２の観点において、前記赤色の映像光を出力する赤色ＣＲＴ表示装置のビーム電流を、前記第２光吸収手段により輝度が低減される分だけ増加させて、赤色光の輝度を高めた映像を出力することを特徴とする。
【００２６】
本発明の第２観点として、本発明の第１観点に加えて、緑色より視感度は低いが青色より視感度が高い赤色のＣＲＴ表示管に赤色を低減させる第２光吸収手段を設けることにより、上述した緑色のＣＲＴ表示管に第１光吸収手段を配設したコントラストの改善に加えて、上述した赤色、緑色、青色全体の輝度を維持しながらコントラストを向上させることができる。
図７に図解したように、赤色ＣＲＴ表示装置のＣＲＴ表示管の駆動電流に余裕があり、図６に図解したように駆動電流の増加による発光効率の低下が少ない。
【００２７】
第１観点の緑色ＣＲＴ表示装置のＣＲＴ表示管に加えて、本発明の第２観点においては、赤色ＣＲＴ表示装置のＣＲＴ表示管の駆動電流を大きくし余剰能力を引き出し、赤色の輝度を高め、輝度の増加分を第２光吸収手段で低減して、緑色および青色とのバランスをとる。
青色ＣＲＴ表示装置には青色吸収手段を配設せず駆動電流も変化させない。
このように、本発明の第２観点においては、緑色に加えて赤色も輝度調整されるので、コントラストを決定する黒輝度は一層改善される。
【００２８】
本発明の第３観点として、第１および第２観点に加えてさらに、前記青色の映像光を出力する青色ＣＲＴ表示装置内に設けられ、前記緑色および赤色の輝度とバランスする程度まで前記青色の映像光の輝度を低減させる第３光吸収手段を設けたことを特徴とする、投写型表示装置が提供される。
【００２９】
本発明の第３観点として、青色のＣＲＴ表示管にも青色を低減させる第３光吸収手段を設けると、さらにコントラストの改善を図ることができる。
ただし、第３光吸収手段による青色を吸収して輝度（または視感度）を低下させる割合は、第１光吸収手段による緑色を吸収する割合、および／または、第２光吸収手段による赤色を吸収する割合より低い。その理由は、青色の視感度が、緑色、赤色に比較して低いためであり、第３光吸収手段による青色を吸収する割合が大きすぎると、赤色、緑色、青色全体の輝度が低下するためである。
このように、青色のＣＲＴ表示管に青色を低減させる第３光吸収手段を設けることによっても、一層、コントラストが改善できる。
【００３０】
第１〜第３光吸収手段の形態について述べる。
３個の単色用ＣＲＴ表示装置にはそれぞれ、電子銃、蛍光体が収容されており、フェースガラスが前面に設けられたＣＲＴ表示管と、フェースガラスの前面に位置し、前記ＣＲＴ表示管を冷却する冷却液が収容されているカプラと、カプラの前面に位置し、前記ＣＲＴ表示管から出力され前記カプラを通過した映像を拡大して前方に投写する投写レンズユニットと、前記ＣＲＴ表示管における電子ビームを偏向させる偏向ヨークとを有する。
【００３１】
各光吸収手段としては、それぞれ、下記のいずれかをとることができる。
（１）対応する色を吸収する光吸収剤であり、該対応する色を吸収する光吸収剤が前記フェースガラスに混入されてフェースガラスを構成することを特徴とする
（２）対応する色を吸収する光吸収液であり、前記カプラ内に充填されている冷却液混入されていることを特徴とする、
（３）対応する色を吸収する光吸収手段であり、前記レンズユニット内に配設されている、または、前記レンズユニット内のレンズに混入されていることを特徴とする。
【００３２】
このような光吸収手段を構成することにより、図２および図５を参照すると、ＣＲＴ表示管のフェースガラス内、カプラ内の冷却媒体、レンズユニットなどの周辺部に生じる迷光、特に、緑色に起因する迷光、すなわち、蛍光体をＣＲＴ表示管の外側から照らしだす光を低減でき、コントラストを改善することができる。
【発明の効果】
【００３３】
本発明によれば、投写型表示装置において赤色、緑色、青色全体としての輝度の低下を招かず、投写型表示装置全体としてのコントラストを改善することができる。
また本発明によれば、駆動能力に余裕がある、緑色のＣＲＴ表示管、さらに好ましくは、赤色のＣＲＴ表示管の駆動能力を大きくし、余剰能力を引き出すことができる。
本発明に用いる光吸収手段は寸法をとらないので、ＣＲＴ表示装置の寸法が大きくならない。
【発明を実施するための最良の形態】
【００３４】
ＣＲＴリアプロジェクタ装置の構成
本発明の投写型表示装置の第１実施の形態として、図１（Ａ）、（Ｂ）、図２および図３を参照してＣＲＴリアプロジェクタ装置について述べる。
図１（Ａ）はＣＲＴリアプロジェクタ装置の断面図であり、図１（Ｂ）は図１（Ａ）の上部から見た、スクリーンユニット１４と３個のＣＲＴ表示装置（投写装置）との関係を反射鏡１２を介さない状態で示した光学系の図である。
図２はＣＲＴリアプロジェクタ装置に用いる３個のＣＲＴ表示装置のうち、代表して図解した赤色ＣＲＴ表示装置１０Ｒの断面図である。
図３は図１（Ａ）に図解したスクリーンユニットの断面図である。
【００３５】
ＣＲＴリアプロジェクタ装置１は、ＣＲＴ映像投写ユニット１０と、反射鏡１２と、スクリーンユニット１４と、筐体１６とを有する。筐体１６には、ＣＲＴ映像投写ユニット１０、反射鏡１２およびスクリーンユニット１４が収容されている。
ＣＲＴ映像投写ユニット１０は、図１（Ｂ）に図解のように、それぞれ単色の映像を出力する３個のＣＲＴ表示装置（投写装置）、すなわち、赤色（Ｒ）の映像を出力する赤色ＣＲＴ表示装置１０Ｒと、緑色（Ｇ）の映像を出力する緑色ＣＲＴ表示装置１０Ｇと、青色（Ｂ）の映像を出力する青色ＣＲＴ表示装置１０Ｂとを有する。
【００３６】
赤色ＣＲＴ表示装置１０Ｒ、緑色ＣＲＴ表示装置１０Ｇ、青色ＣＲＴ表示装置１０Ｂはそれぞれ、赤色（Ｒ）、緑色（Ｇ）、青色（Ｂ）の単色の映像を出力するＣＲＴ表示装置であり、それぞれ蛍光体が異なる他は、基本的に同じ構造を持ち、同じ原理で動作する。
赤色ＣＲＴ表示装置１０Ｒには赤色の映像信号が印加され、緑色ＣＲＴ表示装置１０Ｇには緑色の映像信号が印加され、青色ＣＲＴ表示装置１０Ｂには青色の映像信号が印加される。
【００３７】
図２には代表して赤色ＣＲＴ表示装置１０Ｒの概略構成を示す。赤色ＣＲＴ表示装置１０Ｒは、ＣＲＴ表示管１０１と、冷却液１０３ａ、たとえば、低粘度のエチレングリコールを主体にした混合液が収容されているカプラ１０３と、複数のレンズが収容されているレンズユニット１０４と、偏向ヨーク１０２とを有する。
ＣＲＴ表示管１０１のガラス容器の内部には、電子銃（図示せず）、シャドーマスク（図示せず）、蛍光体１０１ａなどが収容されている。ＣＲＴ表示管１０１の前面にはフェースガラス１０５が設けられている。
偏向ヨーク１０２は、ＣＲＴ表示管１０１内に設けられた蛍光面（図示せず）を指向する電子ビームを垂直方向および水平方向に偏向させる。水平方向には１フィールドごとの飛び越し走査を２回行い、１フレームの映像を生成する。
ＣＲＴ表示管１０１の前面のフェースガラス１０５の前に設けられたカプラ１０３は、ＣＲＴ表示管１０１とレンズユニット１０４とを結合する部分であり、ＣＲＴリアプロジェクタ装置１に使用されるＣＲＴ表示管１０１が相当高温になるので、カプラ１０３には上記冷却液１０３ａが収容されている。
レンズユニット１０４には、複数のレンズが収容されており、ＣＲＴ表示管１０１から出力された映像を拡大して、反射鏡１２に投写する。
【００３８】
緑色ＣＲＴ表示装置１０Ｇおよび青色ＣＲＴ表示装置１０Ｂは、赤色ＣＲＴ表示装置１０Ｒと同じ構造をしている。
赤色ＣＲＴ表示装置１０Ｒ、緑色ＣＲＴ表示装置１０Ｇおよび青色ＣＲＴ表示装置１０Ｂから反射鏡１２に放射された赤色、緑色、青色各単色の映像は反射鏡１２で反射されて、スクリーンユニット１４に投写され、スクリーンユニット１４で赤色、緑色、青色の映像が合成されて合成されたカラー映像となる。視聴者２０がスクリーンユニット１４に投写された映像を見ることができる。
【００３９】
図３に図解したように、スクリーンユニット１４は、反射鏡１２からスクリーンユニット１４に向かう映像の進行方向に向かって配設された、フレネルレンズ１４５と、レンチキュラレンズ１４３と、スクリーン１４１とを有する。
反射鏡１２で反射された赤色、緑色、青色の各単色の映像がフレネルレンズ１４５、レンチキュラレンズ１４３を経由してスクリーン１４１に投写（投影）され、赤色、緑色、青色の各単色の映像がカラー映像として合成される。視聴者２０はスクリーン１４１に投写されたカラー映像を見ることができる。
【００４０】
上述したように、通常のカラーＣＲＴを用いたカラーテレビジョン受像機などにおいて、「黒をいかに黒く表示できるか」が画質向上の重要な鍵である。そのため、チント化により、外光の減衰および迷光の減衰を行い、コントラストの改善を実現している。上述したように、ＣＲＴ表示管１０１のフェースガラス１０５をチント化した効果は、ＣＲＴリアプロジェクタ装置においても効果があることはある程度予測できた。しかしながら、上記詳述した３つの理由によりこれまで採用されていない。その３つの理由を再度簡単に述べると、（１）主光の輝度が低下するという不利益、（２）ＣＲＴリアプロジェクタ装置におけるＣＲＴ表示管のパネルガラスのチント化は、この部分には外光が届かないため外光の減衰の効果はなく、もっぱら、迷光の減衰」のみの効果に過ぎない、（３）ＣＲＴリアプロジェクタ装置においては、青色のＣＲＴ表示菅の発光効率が悪くホワイト電流比を大きく取って駆動電流が大きくしているので、青色の輝度を上げるために駆動電流を増加させることはＣＲＴ表示管の温度上昇を招き困難である。
【００４１】
本願発明者は上述した課題を総合的に克服する対策を下記に述べるように見いだした。
【００４２】
第１実施の形態
図１（Ａ）に図解したように、反射鏡１２でＣＲＴ映像投写ユニット１０からの出射された赤色、緑色、青色３色のカラー映像を反射させ、さらに反射された単色のカラー映像をスクリーンユニット１４に投写して合成するＣＲＴリアプロジェクタ装置においては、たとえば、ＣＲＴ表示管を用いた投写装置に比較して十分な輝度が得られないので、スクリーンユニット１４における映像の輝度が低くなる傾向がある。
特に、青色の視感度が低く、発光効率が低く、かつ、図６に図解したように、駆動電流の増加に伴う発光効率の低下も著しい。図７に図解したように、ホワイト電流比も高い。
（１）そこで、ＣＲＴ表示管の発熱のため駆動電流に制限がある青色ＣＲＴ表示装置１０Ｂに駆動電流を増加させて青色映像の輝度を上げることはせず、これまでと同様の輝度に維持する。他方、青色ＣＲＴ表示装置１０Ｂには、後述する光吸収手段を設けない。
【００４３】
（２）他方、少なくとも、青色より格段と視感度が高く、駆動電流に余裕がある緑色ＣＲＴ表示装置１０Ｇの駆動電流を高めて輝度を高める。
他方、緑色ＣＲＴ表示装置１０Ｇに輝度を高めた分だけ輝度を低減させるため緑色を吸収する第１光吸収手段を設けて、スクリーンユニット１４における合成時の赤色、緑色、青色全体として、緑色ＣＲＴ表示装置１０Ｇの駆動電流を増加させる前と同様の輝度を維持させる。すなわち、緑色ＣＲＴ表示装置１０Ｇの駆動電流を増加させる前と同様、赤色、緑色、青色全体の輝度のバランスをとる。
第１光吸収手段による緑色の輝度を低下させる程度は、たとえば、図６に図解した輝度飽和グラフ、図７に図解したホワイト電流比のグラフを参照して、使用する駆動電流を考慮して決定することができる。
【００４４】
駆動電流に余裕がある緑色ＣＲＴ表示装置１０Ｇ内のＣＲＴ表示管の駆動電流を高めてもそのＣＲＴ表示管が高温になりすぎるという問題は生じない。したがって、カプラ１０３において冷却液１０３ａはこれまでと同じものを同じ条件で用いることができる。
さらに、図６に図示のごとく、緑色ＣＲＴ表示装置１０Ｇ内のＣＲＴ表示管の駆動電流を増加させても緑色の発光効率の低下は殆どない。
【００４５】
このように、緑色ＣＲＴ表示装置１０Ｇ内のＣＲＴ表示管の駆動電流を大きくして緑色ＣＲＴ表示装置１０Ｇ本来の余剰能力を引き出し、その輝度の上昇分を緑色ＣＲＴ表示装置１０Ｇに配設した第１光吸収手段で吸収して、他の色の輝度、特に、青色の輝度とのバランスをとる。
コントラストを決定する黒輝度は、緑色ＣＲＴ表示装置１０Ｇに第１光吸収手段が配設されているため、視感度の高い緑色に起因する迷光も減少し、改善される。
【００４６】
緑色ＣＲＴ表示装置１０Ｇに配設する第１光吸収手段としては、緑色ＣＲＴ表示装置１０Ｇの任意の部分に配設することができる。その例示態様を下記に述べる。
【００４７】
第１光吸収手段の第１実施例
第１光吸収手段として、図８（Ａ）に図解したように、緑色ＣＲＴ表示装置１０Ｇ内のＣＲＴ表示管１０１の前面のフェースガラス１０５を緑色を吸収する材料でチント化（着色化）して構成することができる。図８（Ａ）における斜線で示したフェースガラス１０５はチント化したことを図解している。
チント化したフェースガラス１０５による緑色を吸収する程度は、たとえば、図６に図解した発光効率の低下を示すグラフ、図７に図解したホワイト電流の比率を示すグラフを参照して、緑色ＣＲＴ表示装置１０ＧのＣＲＴ表示管１０１に印加する駆動電流を考慮して決定することができる。
緑色ＣＲＴ表示装置１０Ｇ内のフェースガラス１０５を緑色を吸収する材料を用いてチント化することにより、図５に図解したように、フェースガラス１０５内、カプラ１０３内の冷却液１０３ａ、投写レンズユニット１０４などの周辺部に生じる迷光、すなわち、緑色ＣＲＴ表示装置１０ＧのＣＲＴ表示管１０１内に配設された蛍光体をＣＲＴ表示管１０１の外側から照らしだす光を低減させる。
その結果、コントラストを改善することができる。
【００４８】
第１光吸収手段の第２実施例
第１光吸収手段として、図８（Ｂ）に図解したように、緑色ＣＲＴ表示装置１０Ｇ内のカプラ１０３内の冷却液１０３ａに緑色を吸収する媒体２０１を含有させて構成することができる。図８（Ｂ）における斜線で示したカプラ１０３内の冷却液１０３ａはチント化媒体２０１でチント化されていることを図解している。
チント化媒体２０１による緑色を吸収する程度は、たとえば、図６に図解した発光効率の低下を示すグラフ、図７に図解したホワイト電流の比率のグラフを参照して、使用する駆動電流を考慮して決定することができる。この場合も第１実施例のフェースガラス１０５をチント化するのと同様の効果が得られる。
【００４９】
第１光吸収手段の第３実施例
第１光吸収手段として、図８（Ｃ）に図解したように、緑色ＣＲＴ表示装置１０Ｇ内のレンズユニット１０４のレンズ群の一部、たとえば、レンズ１０４１の一部に緑色を吸収する材料１０４２を被覆して構成するか、緑色を吸収するフィルタ１０４３を挿入することができる。
緑色を吸収する程度は、たとえば、図６に図解した発光効率の低下を示すグラフ、図７に図解したホワイト電流の比率を示すグラフを参照して、使用する駆動電流を考慮して決定することができる。この場合も第１実施例のフェースガラス１０５をチント化すると同様の効果が得られる。
【００５０】
第２実施の形態
第２実施の形態として、第１実施の形態に加えて、緑色より視感度は低いが、青色より視感度が高い赤色についても第１実施の形態と同様、赤色の輝度の調整を行う。
第２実施の形態においても、青色のＣＲＴ表示管には吸収手段を配設せず、これまでと同様の駆動電流を提供する。
他方、図７に図解したホワイト電流比のグラフからも判るように、駆動電流に余裕がある赤色ＣＲＴ表示装置１０Ｒについては緑色ＣＲＴ表示装置１０Ｇと同様、駆動電流を高めて赤色の輝度を高める一方、赤色ＣＲＴ表示装置１０Ｒに赤色を吸収する第２光吸収手段を設けて、赤色、緑色、青色全体の輝度のバランスがとれる程度まで赤色の輝度を低下させる。
【００５１】
赤色を吸収する程度は、たとえば、図６に図解した発光効率の低下を示すグラフ、図７に図解したホワイト電流の比率を示すグラフを参照して、使用する駆動電流を考慮して決定することができる。
赤色ＣＲＴ表示装置１０ＲのＣＲＴ表示管１０１の駆動電流を増加させても、図６に図解したように、発光効率の大きな低下は起きない。また、図７に図解したように、赤色は、緑色よりホワイト電流の比率が低く、緑色ＣＲＴ表示装置１０Ｇより駆動電流に余裕がある。よって、赤色ＣＲＴ表示装置１０ＲのＣＲＴ表示管１０１の駆動電流を高めることは、有効である。
このように、緑色ＣＲＴ表示装置１０Ｇより駆動電流に余裕がある赤色ＣＲＴ表示装置１０ＲのＣＲＴ表示管の駆動電流を高めても赤色ＣＲＴ表示装置１０Ｒ内のＣＲＴ表示管が高温になりすぎるという問題は生じない。したがって、赤色ＣＲＴ表示装置１０Ｒ内のカプラ１０３において冷却液１０３ａはこれまでと同じものを用いることができる。
【００５２】
このように、第２実施の形態においては、第１実施の形態の緑色の輝度の調整に加えて、青色より視感度が高い赤色の映像を出力する赤色ＣＲＴ表示装置１０Ｒ内のＣＲＴ表示管の駆動電流を大きくして余剰能力を引き出し、赤色の輝度を高め、輝度の増加の分を赤色ＣＲＴ表示装置１０Ｒに配設した第２光吸収手段で吸収して、青色の輝度および緑色の輝度とのバランスをとる。
その結果、３個の緑色ＣＲＴ表示装置１０Ｇ、青色ＣＲＴ表示装置１０Ｂおよび赤色ＣＲＴ表示装置１０Ｒ内の各ＣＲＴ表示管の最大負荷仕様を超えずに、赤色、緑色、青色全体として従来と同等の輝度を維持することができる。
コントラストを決定する黒輝度は、第１実施の形態に基づいて緑色ＣＲＴ表示装置１０Ｇに第１光吸収手段が配設され、さらに第２実施の形態により赤色ＣＲＴ表示装置１０Ｒに第２光吸収手段が配設されているため、一層改善される。
【００５３】
第２光吸収手段としては、赤色ＣＲＴ表示装置１０Ｒの任意の部分に配設することができる。その例示態様を下記に述べる。
【００５４】
第２光吸収手段の第１実施例
第２光吸収手段として、図９（Ａ）に図解したように、赤色ＣＲＴ表示装置１０Ｒ内のＣＲＴ表示管１０１の前面のフェースガラス１０５を赤色を吸収する材料でチント化（着色化）して構成することができる。図９（Ａ）における斜線で示したフェースガラス１０５はチント化したことを図解している。
フェースガラス１０５による赤色を吸収する程度は、たとえば、図６に図解した発光効率の低下を示すグラフ、図７に図解したホワイト電流の比率を示すグラフを参照して、使用する駆動電流を考慮して決定することができる。
赤色ＣＲＴ表示装置１０Ｒ内のフェースガラス１０５を赤色にチント化することにより、図５に図解したように、フェースガラス１０５内、カプラ１０３内の冷却媒体１０３ａ、レンズユニット１０４などの周辺部に生じる迷光、すなわち、ＣＲＴ表示管１０１内に配設された蛍光体をＣＲＴ表示管１０１の外側から照らしだす光を低減し、コントラストを改善することができる。
【００５５】
第２光吸収手段の第２実施例
第２光吸収手段として、図９（Ｂ）に図解したように、赤色ＣＲＴ表示装置１０Ｒ内のカプラ１０３内の冷却液１０３ａに赤色を吸収する媒体２０２を含有させて構成することができる。図９（Ｂ）における斜線で示したカプラ１０３内の冷却液１０３ａは媒体２０２でチント化されていることを図解している。
媒体２０２の赤色を吸収する程度は、たとえば、図６に図解した発光効率の低下を示すグラフ、図７に図解したホワイト電流の比率を示すグラフを参照して、使用する駆動電流を考慮して決定することができる。この場合も第１実施例のフェースガラス１０５をチント化すると同様の効果が得られる。
【００５６】
第２光吸収手段の第３実施例
第２光吸収手段として、図９（Ｃ）に図解したように、緑色ＣＲＴ表示装置１０Ｇ内の投写レンズユニット１０４のレンズ群の一部のレンズ、たとえば、レンズ１０４１の一部に赤色を吸収するチント化材料１０５２を被覆して構成するか、赤色を吸収するフィルタ１０５３を挿入することができる。
赤色を吸収する程度は、たとえば、図６に図解した発光効率の低下を示すグラフ、図７に図解したホワイト電流の比率を示すグラフを参照して、使用する駆動電流を考慮して決定することができる。この場合も第１実施例のフェースガラス１０５をチント化すると同様の効果が得られる。
【００５７】
第３実施の形態
第３実施の形態として、第１および第２実施の形態に加えて、青色ＣＲＴ表示装置１０Ｂの駆動電流は増加させないで、青色ＣＲＴ表示装置１０Ｂに青色を吸収する第３吸収手段を設けることもできる。
視感度は一般的に、赤：緑：青＝２：５：１の比率にあると言われており、青色は、視感度が低い。
よって、青色ＣＲＴ表示装置１０Ｂに青色の吸収手段を設けてもコントラストなどに大きな貢献は期待できないが、第１実施の形態における緑色の輝度とのバランス調整、または、第２実施の形態における緑色および赤色の輝度とのバランス調整のため、青色ＣＲＴ表示装置１０Ｂに青色を吸収する第３光吸収手段を設けることもできる。それにより、緑色、赤色それぞれの輝度調整を行った場合より、より精密な輝度のバランス調整を図ることができる。
ただし、元々青色は輝度が低いので、スクリーンユニット１４に投写される映像の画質が大きく低下しない程度に、青色の輝度を調整する。
青色の輝度の低下程度は、緑色の輝度、赤色の輝度とのバランスを考慮して行う。
【００５８】
第３光吸収手段としては、青色ＣＲＴ表示装置１０Ｂの任意の部分に配設することができる。その例示態様を下記に述べる。
【００５９】
第３光吸収手段の第１実施例
第３光吸収手段として、図１０（Ａ）に図解したように、青色ＣＲＴ表示装置１０Ｂ内のＣＲＴ表示管１０１の前面のフェースガラス１０５を青色を吸収する材料でチント化（着色化）して構成することができる。図１０（Ａ）における斜線で示したフェースガラス１０５はチント化したことを図解している。
チント化したフェースガラス１０５における青色を吸収する程度は、緑色の輝度、赤色の輝度とのバランスを考慮して行う。
青色ＣＲＴ表示装置１０Ｂ内のフェースガラス１０５を青色にチント化することにより、図５に図解したように、フェースガラス１０５内、カプラ１０３内の冷却液１０３ａ、投写レンズユニット１０４などの周辺部に生じる迷光、すなわち、ＣＲＴ表示管１０１内に配設された蛍光体をＣＲＴ表示管１０１の外側から照らしだす光を低減し、コントラストを改善することができる。
【００６０】
第３光吸収手段の第２実施例
第３光吸収手段として、図１０（Ｂ）に図解したように、青色ＣＲＴ表示装置１０Ｂ内のカプラ１０３内の冷却液１０３ａに青色を吸収する媒体２０３を含有させて構成することができる。図１０（Ｂ）における斜線で示したカプラ１０３内の冷却液１０３ａはチント化媒体２０３でチント化されていることを図解している。
チント化媒体２０３の青色を吸収する程度は、たとえば、緑色の輝度、赤色の輝度とのバランスを考慮して行う。
この場合も第１実施例のフェースガラス１０５をチント化すると同様の効果が得られる。
【００６１】
第３光吸収手段の第３実施例
第３光吸収手段として、図１０（Ｃ）に図解したように、青色ＣＲＴ表示装置１０Ｂ内の投写レンズユニット１０４のレンズ１０６１の一部に青色を吸収する材料１０６２を被覆して構成するか、青色を吸収するフィルタ１０６３を挿入することができる。
青色を吸収する程度は、たとえば、緑色の輝度、赤色の輝度とのバランスを考慮して行う。
この場合も第１実施例のフェースガラス１０５をチント化すると同様の効果が得られる。
【００６２】
本発明の実施に際しては、第１〜第３実施の形態の任意の形態をとることができる。
【００６３】
本発明によれば、投写型表示装置において、赤色、緑色、青色全体としての輝度の低下を招かず、コントラストを改善することができる。
また本発明によれば、余剰能力のある、緑色のＣＲＴ表示管、さらに好ましくは、赤色のＣＲＴ表示管の駆動能力を大きくし、余剰能力を引き出すことができる。
本発明に用いる光吸収手段は寸法をとらないので、各ＣＲＴ表示装置の寸法が大きくならない。
【００６４】
以上の本発明の好適な実施の形態として、視感度が最も高い緑色の輝度調整を行い、次いで、視感度が高い赤色について輝度調整を行う場合を例示したが、このような順序に限定されず、種々の変形態様をとることができる。
たとえば、緑色の輝度は従来同様にして、赤色のみ上記した方法で輝度調整を行うこともできる。すなわち、赤色ＣＲＴ表示装置１０Ｒの駆動電流を高めて赤色の輝度を高くし、チント化した第２光吸収手段で輝度を低下させて赤色の輝度を緑色および青色の輝度とバランスをとる。
【００６５】
このように、本発明は、赤色、緑色、青色全体の輝度のバランスをとることを前提に、赤色、緑色、青色のいずれかの輝度を高め、高めた輝度分をチント化によって各ＲＧＢの輝度を調整することを技術的思想としている。
【図面の簡単な説明】
【００６６】
【図１】図１（Ａ）、（Ｂ）は本発明の投写型表示装置の１実施の形態としてのＣＲＴリアプロジェクタ装置の構成図であり、図１（Ａ）はＣＲＴリアプロジェクタ装置の断面図であり、図１（Ｂ）は図１（Ａ）の上部から見たスクリーンユニットと３個のＣＲＴ表示装置（投写装置）との関係を反射鏡を介さない状態で示した光学系の図である。
【図２】図２は図１（Ａ），（Ｂ）に図解したＣＲＴリアプロジェクタ装置に用いるＣＲＴ表示装置の断面図である。
【図３】図３は図１（Ａ）に図解したスクリーンユニットの拡大断面図である。
【図４】図４はカラーＣＲＴ表示管における主光、迷光および外光の関係を図解した図である。
【図５】図５は図２に図解したＣＲＴ表示管の部分拡大図であり、蛍光体と、フェースガラスの部分を図解した図である。
【図６】図６はＲ，Ｇ，Ｂの駆動電流の変化に伴う発光効率の低下特性を示すグラフである。
【図７】図７はＲＧＢビーム電流の総和に対する、Ｒ，Ｇ，Ｂのホワイト電流比を示すグラフである。
【図８】図８（Ａ）〜（Ｃ）は本発明の第１実施の形態として、緑色ＣＲＴ表示装置に第１光吸収手段を配設する例示的な態様を図解する図である。
【図９】図９（Ａ）〜（Ｃ）は本発明の第２実施の形態として、赤色ＣＲＴ表示装置に第２光吸収手段を配設する例示的な態様を図解する図である。
【図１０】図１０（Ａ）〜（Ｃ）は本発明の第３実施の形態として、青色ＣＲＴ表示装置に第２光吸収手段を配設する例示的な態様を図解する図である。
【符号の説明】
【００６７】
１…ＣＲＴリアプロジェクタ装置
１０…ＣＲＴ投写ユニット
１０Ｒ…赤色ＣＲＴ表示装置
１０Ｇ…緑色ＣＲＴ表示装置
１０Ｂ…青色ＣＲＴ表示装置
１０１…ＣＲＴ表示管
１０１ａ…蛍光体
１０２…偏向ヨーク
１０３…カプラ
１０３ａ…冷却液
２０１〜２０３…チント化媒体
１０４…レンズユニット
１０４２，１０５２，１０６２…チント化材料
１０４３，１０５３，１０６３…チント化フィルタ
１０５…フェースガラス
１２…反射鏡
１４…スクリーンユニット
１４１…スクリーン、１４３…レンチキュラレンズ
１４５…フレネルレンズ
【図１】
2005092182.tif 000003
【図２】
2005092182.tif 000004
【図３】
2005092182.tif 000005
【図４】
2005092182.tif 000006
【図５】
2005092182.tif 000007
【図６】
2005092182.tif 000008
【図７】
2005092182.tif 000009
【図８】
2005092182.tif 000010
【図９】
2005092182.tif 000011
【図１０】
2005092182.tif 000012